【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  通信ネットワークに接続された第１の端末と、
前記通信ネットワークに接続されたサーバと、を備え、
前記第１の端末は、
サービス又は製品を得るための電子データを含む電子バリューを購入する注文を出す手段と、
所定日時に前記電子バリューの発行を電子的に要求する手段と、
金銭情報を電子的に送信して、前記電子バリューの購入をサポートする手段と、を有し、
前記サーバは、
前記第１の端末から前記注文を受け取るユーザ処理部と、
前記第１の端末から前記金銭情報を受け取り、当該金銭情報の受領に応じて前記購入のための決済を行う決済処理部と、
前記電子バリューを受け取るユーザの権利を証明するために用いられる電子データを含む引換証を、前記注文に応じて前記第１の端末又は第２の端末へ電子的に送る引換証発行部と、
前記所定日時に、前記引換証に対応して又は引き換えに前記電子バリューを、前記第１の端末、前記第２の端末及び第３の端末の１つへ電子的に送る電子バリュー発行部と、
前記引換証が前記第１の端末、前記第２の端末及び前記第３の端末の１つから前記サーバへ送信されたときのみ、前記電子バリューが前記第１の端末、前記第２の端末及び前記第３の端末の１つへ送信されたことを確認する電子バリュー状態管理部と、を有し、
前記引換証は、前記電子バリューの取得に関する情報を含み、
前記電子バリューは、前記サービス又は前記製品を得るためのものであることを特徴とする電子バリュー活用システム。
【請求項２】  請求項１に記載の電子バリュー活用システムであって、
前記引換証発行部は、前記決済処理部が前記決済を行った後でのみ前記引換証を発行することを特徴とする電子バリュー活用システム。
【請求項３】  請求項２に記載の電子バリュー活用システムであって、
前記引換証を受け取った前記第２の端末が持ち運び可能な移動端末である場合、前記サーバへの前記引換証の提示、及び／又は前記第２の端末への前記電子バリューの送信が、前記端末とのデータ転送が可能な固定端末を介して行われることを特徴とする電子バリュー活用システム。
【請求項４】  請求項２に記載の電子バリュー活用システムであって、
前記引換証は、前記電子バリューに対する課金が清算済みであることを示す決済情報と、前記対応する電子バリューを未受領であることを示すステイタス情報と、を有することを特徴とする電子バリュー活用システム。
【請求項５】  請求項４に記載の電子バリュー活用システムであって、
前記引換証には、当該引換証を前記対応する電子バリューに交換可能な有効期限が設定されていることを特徴とする電子バリュー活用システム。
【請求項６】  請求項５に記載の電子バリュー活用システムであって、
前記有効期限が近づいても前記引換証が前記電子バリューに引き換えられていないとき、前記サーバは、前記引換証が送られた前記第１の端末、前記第２の端末及び他の端末の１つに、前記有効期限が近いことを示すメッセージを送ることを特徴とする電子バリュー活用システム。
【請求項７】  請求項５に記載の電子バリュー活用システムであって、
前記有効期限が近づいても前記引換証が前記電子バリューに引き換えられていないとき、前記サーバは、前記引換証が送られた前記第１の端末、前記第２の端末及び他の端末の１つに、前記電子バリューのダウンロード要求又は前記電子バリューの強制送信を行うことを特徴とする電子バリュー活用システム。
【請求項８】  請求項５に記載の電子バリュー活用システムであって、
前記サーバは、前記有効期限が過ぎても前記引換証が前記対応する電子バリューに引き換えられていないときに、前記引換証が送られた前記第１の端末、前記第２の端末及び他の端末の１つに、前記有効期限を過ぎたことを示すメッセージを送り、前記電子バリューのダウンロード要求又は前記電子バリューの強制送信を行う期限切れ処理手段を有することを特徴とする電子バリュー活用システム。
【請求項９】  請求項８に記載の電子バリュー活用システムであって、
前記期限切れ処理手段は、前記引換証が送られた前記第１の端末、前記第２の端末及び他の端末の１つに、前記期限切れの引換証の削除又は無効化を要求することを特徴とする電子バリュー活用システム。
【請求項１０】  請求項８に記載の電子バリュー活用システムであって、
前記サーバから前記メッセージ又は前記ダウンロード要求を受け取ると、前記第１の端末、前記第２の端末及び他の端末の１つは、前記メッセージ、又は前記ダウンロード要求の詳細及び／又は前記引換証の詳細を表示部に表示することを特徴とする電子バリュー活用システム。
【請求項１１】  請求項８に記載の電子バリュー活用システムであって、
前記サーバから前記メッセージ又は前記ダウンロード要求を受け取ると、前記第１の端末、前記第２の端末及び他の端末の１つは、前記メッセージ又は前記ダウンロード要求の受領を示す音声通知を発生することを特徴とする電子バリュー活用システム。
【請求項１２】  請求項９に記載の電子バリュー活用システムであって、
前記期限切れ処理手段から前記期限切れの引換証の削除又は無効化の要求を受け取ると、前記第１の端末、前記第２の端末及び他の端末の１つは、前記引換証を削除又は無効化することを特徴とする電子バリュー活用システム。
【請求項１３】  請求項１に記載の電子バリュー活用システムであって、
前記電子バリュー状態管理部は、
前記電子バリューの発行日時、前記電子バリューの有効期限、前記引換証の有無、及び前記引換証の有効期限を管理し、
前記電子バリューは前記電子バリュー発行部によって発行され、前記引換証は前記電子バリューに対応して管理されることを特徴とする電子バリュー活用システム。
【請求項１４】  請求項５に記載の電子バリュー活用システムであって、
前記有効期限が近づいても前記引換証が当該引換証に対応する電子バリューに引き換えられていないとき、前記サーバは、前記引換証が送られた前記端末に、前記有効期限が近いことを示すメッセージを送り、
前記有効期限が差し迫っても前記引換証が当該引換証に対応する電子バリューに引き換えられていないとき、前記サーバは、前記引換証が送られた前記端末に、前記電子バリューのダウンロード要求又は前記引換証に対応する前記電子バリューの強制送信を行うことを特徴とする電子バリュー活用システム。
【請求項１５】  請求項１に記載の電子バリュー活用システムであって、
前記引換証は、前記電子バリューに対する課金が清算済みであることを示す決済情報と、前記対応する電子バリューを未受領であることを示すステイタス情報と、を有することを特徴とする電子バリュー活用システム。
【請求項１６】  請求項６に記載の電子バリュー活用システムであって、
前記有効期限が近づいても前記引換証が当該引換証に対応する電子バリューに引き換えられていないとき、前記サーバは、前記引換証が送られた前記端末に、前記電子バリューのダウンロード要求又は前記引換証に対応する電子バリューの強制送信を行うことを特徴とする電子バリュー活用システム。
【請求項１７】  請求項５に記載の電子バリュー活用システムであって、
前記サーバは、前記有効期限が過ぎても前記引換証が前記対応する電子バリューに引き換えられていないときに、前記引換証が送られた前記端末に、前記有効期限を過ぎたことを示すメッセージを送り、前記電子バリューのダウンロード要求又は前記電子バリューの強制送信を行う期限切れ処理手段を有することを特徴とする電子バリュー活用システム。
【請求項１８】  請求項１７に記載の電子バリュー活用システムであって、
前記期限切れ処理手段は、前記引換証が送られた前記端末に、前記期限切れの引換証の削除又は無効化を要求することを特徴とする電子バリュー活用システム。
【請求項１９】  請求項１８に記載の電子バリュー活用システムであって、
前記サーバから前記メッセージ又は前記ダウンロード要求を受け取ると、前記引換証が送られた前記端末は、前記メッセージ、又は前記ダウンロード要求の詳細及び／又は前記引換証の詳細を表示部に表示することを特徴とする電子バリュー活用システム。
【請求項２０】  請求項１９に記載の電子バリュー活用システムであって、
前記サーバは、前記電子バリュー又は前記引換証の送信に失敗したとき、前記電子バリュー又は前記引換証をそれぞれ再送する再送処理手段を有することを特徴とする電子バリュー活用システム。
【請求項２１】  請求項６、７及び１６のいずれか一項に記載の電子バリュー活用システムであって、
前記サーバが有する期限切れ処理手段は、前記引換証が送られた前記端末に、期限が切れた前記引換証の削除又は無効化を要求することを特徴とする電子バリュー活用システム。
【請求項２２】  請求項２１に記載の電子バリュー活用システムであって、
前記期限切れ処理手段から前記期限切れの引換証の削除又は無効化の要求を受け取ると、前記端末は、前記引換証を削除又は無効化することを特徴とする電子バリュー活用システム。
【請求項２３】  請求項６に記載の電子バリュー活用システムであって、
前記メッセージ又は前記サーバからの前記メッセージを受け取ると、前記引換証を受け取った前記端末は、前記メッセージ及び／又は前記引換証の情報を表示部に表示することを特徴とする電子バリュー活用システム。
【請求項２４】  請求項６に記載の電子バリュー活用システムであって、
前記サーバから前記メッセージを受け取ると、前記端末は、前記メッセージの受領を示す音声通知を発生することを特徴とする電子バリュー活用システム。
【請求項２５】  請求項１に記載の電子バリュー活用システムであって、
前記サーバは、前記電子バリュー又は前記引換証の送信に失敗したとき、前記電子バリュー又は前記引換証をそれぞれ再送する再送処理手段を有することを特徴とする電子バリュー活用システム。
【請求項２６】  電子データを含む電子バリューを購入するステップと、
前記電子バリューを発行するステップと、を有し、
前記電子バリューを購入するステップは、
サービス又は製品を得るための前記電子バリューを購入する注文を出すステップと、
所定日時に前記電子バリューの発行を要求するステップと、
金銭情報を電子的に送信して、前記電子バリューを購入するステップと、を含み、
前記電子バリューを発行するステップは、
前記第１の端末から前記注文を受け取るステップと、
前記第１の端末から前記金銭情報を受け取るステップと、
当該金銭情報の受領に応じて前記購入のための決済を行うステップと、
前記電子バリューを受け取るユーザの権利を証明する電子データを含む引換証を、前記注文に応じて電子的に送るステップと、
前記所定日時に、前記引換証に対応して又は引き換えに前記電子バリューを、前記ユーザへ電子的に送るステップと、を含み、
前記電子バリューの発行前に前記引換証が前記ユーザによって供給されたときのみ、前記電子バリューが送られ、
前記引換証は、前記電子バリューの取得に関する情報を含み、
前記電子バリューは、前記サービス又は前記製品を得るためのものであることを特徴とする電子バリュー活用方法。
【請求項２７】  通信ネットワークを介して端末に接続され、電子バリュー活用システムで用いられるサーバであって、
サービス又は製品を得るための電子データを含み、所定日時に電子的に送信される電子バリューを購入する第１の端末から注文を受け取るユーザ処理部と、
前記第１の端末から前記金銭情報を受け取り、当該金銭情報の受領に応じて前記購入のための決済を行う決済処理部と、
前記電子バリューを受け取るユーザの権利を証明する電子データを含む引換証を、前記注文に応じて前記第１の端末又は第２の端末へ電子的に送る引換証発行部と、
前記所定日時に、前記引換証に対応して又は引き換えに前記電子バリューを、前記第１の端末、前記第２の端末及び第３の端末の１つへ電子的に送る電子バリュー発行部と、
前記引換証が前記第１の端末、前記第２の端末及び前記第３の端末の１つから前記サーバへ送信されたときのみ、前記電子バリューが前記第１の端末、前記第２の端末及び前記第３の端末の１つへ送信されたことを確認する電子バリュー状態管理部と、を備え、
前記引換証は、前記電子バリューの取得に関する情報を含み、
前記電子バリューは、前記サービス又は前記製品を得るためのものであることを特徴とするサーバ。
【請求項２８】  通信ネットワークを介して端末に接続され、電子バリュー活用システムで用いられるサーバであって、
サービス又は製品を得るための電子データを含む電子バリューを購入する第１の端末から注文を受け取るユーザ処理部と、
前記第１の端末から前記金銭情報を受け取り、当該金銭情報の受領に応じて前記購入のための決済を行う決済処理部と、
前記電子バリューを受け取るユーザの権利を証明する電子データを含む引換証を、前記注文に応じて前記第１の端末又は第２の端末へ電子的に送る引換証発行部と、
前記引換証が前記第１の端末、前記第２の端末及び前記第３の端末の１つから前記サーバへ送信されたときのみ、前記引換証に対応して又は引き換えに前記電子バリューを、前記引換証を送った前記第１の端末又は前記第２の端末へ電子的に送り、前記引換証が確認される電子バリュー状態管理部と、を備え、
前記引換証は、前記電子バリューの取得に関する情報を含み、
前記電子バリューは、前記サービス又は前記製品と引き換えるためのものであることを特徴とするサーバ。
【請求項２９】  請求項２８に記載のサーバであって、
前記電子バリューは、前記決済処理部による前記決済が行われたときのみ、前記引換証と引き換えに送信されることを特徴とするサーバ。
【請求項３０】  電子データを含む電子バリューを購入するステップと、
前記電子バリューを発行するステップと、を有し、
前記電子バリューを購入するステップは、
サービス又は製品を得るための前記電子バリューを購入する注文を出すステップと、
金銭情報を電子的に送信して、前記電子バリューを購入するステップと、を含み、
前記電子バリューを発行するステップは、
前記第１の端末から前記注文を受け取るステップと、
前記第１の端末から前記金銭情報を受け取るステップと、
当該金銭情報の受領に応じて前記購入のための決済を行うステップと、
前記電子バリューを受け取るユーザの権利を証明する電子データを含む引換証を、前記注文に応じて電子的に送るステップと、
前記電子バリューの発行前に前記引換証が前記ユーザによって供給され、かつ前記引換証が有効とされたときのみ、前記引換証に対応して又は引き換えに前記電子バリューを電子的に送るステップと、を含み、
前記引換証は、前記電子バリューの取得に関する情報を含み、
前記電子バリューは、前記サービス又は前記製品を得るために、前記ユーザによって引き換えられるものであることを特徴とする電子バリュー活用方法。
【請求項３１】  請求項３０に記載のサーバであって、
前記電子バリューは、前記決済が行われたときのみ、前記引換証と引き換えに送信されることを特徴とするサーバ。